(57)【特許請求の範囲】
【請求項１】
発光体の発する光を所定の方向に出射する発光部と、
この発光部の光が出射される側に対向配置された回転反射板と、
表示させる情報に応じて前記回転反射板を回動させ、前記発光部からの出射光を前記表示させる情報に対応する方向に反射させる反射板回転制御部と、を備え、
前記回転反射板には、指針が一体的に設けられ、
前記反射板回転制御部は、前記発光体の発光時には、前記回転反射板による反射光により前記表示させる情報に対応する方向を指示させ、前記発光体の非発光時には、前記指針により前記表示させる情報とは別の表示させる情報に対応する方向を指示させる
ことを特徴とする表示装置。
【請求項２】
前記回転反射板は、文字盤の上部で回動可能に設けられ、
この文字盤には、一又は複数の前記情報に対応する標識が各々印され、
前記反射板回転制御部は、前記発光部からの出射光を前記回転反射板により反射させて、前記文字盤上に配列された前記標識のうち前記表示させる情報に対応するものを指示させる
ことを特徴とする請求項１記載の表示装置。
【請求項３】
外部機器との間で無線通信を行うための無線通信手段を備え、
前記反射板回転制御部は、前記無線通信手段により前記外部機器から取得されたデータに基づいて定められた前記表示させる情報に応じて前記回転反射板を回動させる
ことを特徴とする請求項１又は２記載の表示装置。
【請求項４】
請求項１〜３の何れか一項に記載の表示装置と、
一又は複数の回転指針と、
この回転指針の回転動作を制御する指針回転制御部と
を備え、
前記回転指針は、文字盤の上部を前記回転反射板と同時に回動可能に設けられ、
前記指針回転制御部は、前記反射板回転制御部とは独立に前記回転指針を回動させる
ことを特徴とする指針表示装置。
【請求項５】
前記指針回転制御部は、前記回転指針のうち少なくとも一本が前記表示させる情報に対応する方向を指示するように回動させることが可能であり、
前記反射板回転制御部は、前記回転反射板により反射された前記出射光が、前記表示させる情報に対応する方向を指示している前記回転指針を照射するように前記回転反射板を回動させる
ことを特徴とする請求項４記載の指針表示装置。
【請求項６】
時刻を計数する計時手段を備え、
前記複数の回転指針は、時刻を表示するための指針であり、
前記文字盤には、時刻を表示するための標識が印され、
前記反射板回転制御部は、前記発光部からの出射光を前記回転反射板により反射させて前記文字盤における各時刻方向を指示させることで、
この時刻に対応する数値を表示させる
ことを特徴とする請求項４又は５記載の指針表示装置。
【発明の詳細な説明】
【技術分野】
【０００１】
この発明は、予め設定された情報を表示する表示装置及び指針表示装置に関する。
【背景技術】
【０００２】
従来、アナログ電子時計といった複数の指針で情報を指し示す指針式表示装置がある。このような指針表示装置において、近年、多様な情報を表示可能に構成されるものがある。
【０００３】
例えば、時刻情報だけではなく、計測センサの計測値などを表示することが可能な多機能アナログ電子時計や、通信手段を用いて外部機器から取得された種々の情報を表示させるページャ機能を備えたアナログ電子時計がある（例えば、特許文献１）。このようなアナログ電子時計では、従来、各情報に対応して文字盤の周縁部やベゼルなどに複数設けられた標識を指し示すことで予め設定された情報を選択的に報知することが可能となっている。また、時刻を示す１時から１２時の方向に各々意味を持たせたり、数字として用いたりすることで、種々の情報を表示可能としている。
【０００４】
また、特許文献２には、指針だけではなく、ＬＥＤ（Light Emitting Diode）の点灯有無を用いて追加情報の存在を示す表示装置に関する技術が開示されている。
【先行技術文献】
【特許文献】
【０００５】
【特許文献１】特開平６−６６９６３号公報
【特許文献２】特表平９−５０６７１０号公報
【発明の概要】
【発明が解決しようとする課題】
【０００６】
しかしながら、アナログ的に複数の情報を選択表示する表示装置では、より多くの情報を表示可能になるほど文字盤に多くの標識が設けられたり、或いは、一の表示機構で複数の情報を選択的に指示したりすることになるので、ユーザが情報を読み取るのが煩雑になってきているという課題がある。特に、このような煩雑な指示情報を暗いところで読み取るのは、ユーザにとってしばしば困難であるという課題がある。
【０００７】
この発明の目的は、簡易な構成で、暗いところでも表示された情報をより容易に読み取ることの出来る表示装置及び指針表示装置を提供することにある。
【課題を解決するための手段】
【０００８】
本発明は、上記目的を達成するため、
発光体の発する光を所定の方向に出射する発光部と、
この発光部の光が出射される側に対向配置された回転反射板と、
表示させる情報に応じて前記回転反射板を回動させ、前記発光部からの出射光を前記表示させる情報に対応する方向に反射させる反射板回転制御部と、を備え、
前記回転反射板には、指針が一体的に設けられ、
前記反射板回転制御部は、前記発光体の発光時には、前記回転反射板による反射光により前記表示させる情報に対応する方向を指示させ、前記発光体の非発光時には、前記指針により前記表示させる情報とは別の表示させる情報に対応する方向を指示させる
ことを特徴とする表示装置である。
【発明の効果】
【０００９】
本発明に従うと、表示装置及び指針表示装置において、簡易な構成で、暗いところでも表示された情報をより読み取りやすくなるという効果がある。
【図面の簡単な説明】
【００１０】
【図１】本発明の実施形態のアナログ電子時計を含む情報表示システムを示す図である。
【図２】第１実施形態のアナログ電子時計の正面図である。
【図３】秒針の構造を示す斜視図である。
【図４】アナログ電子時計の内部構造を示すブロック図である。
【図５】スマートフォンの内部構造を示すブロック図である。
【図６】第１実施形態のアナログ電子時計の表示例を示す正面図である。
【図７】第１実施形態のアナログ電子時計における報知処理のフローチャートである。
【図８】第２実施形態のアナログ電子時計の正面図である。
【図９】第２実施形態のアナログ電子時計における時刻照明処理のフローチャートである。
【図１０】秒針の構造の変形例を示す斜視図である。
【図１１】第３実施形態のアナログ電子時計の正面図である。
【図１２】第３実施形態のアナログ電子時計の内部構成を示すブロック図である。
【図１３】第３実施形態のアナログ電子時計における報知処理のフローチャートである。
【発明を実施するための形態】
【００１１】
以下、本発明の実施の形態を図面に基づいて説明する。
［第１実施形態］
図１は、本発明の指針表示装置の第１実施形態であるアナログ電子時計を含む情報表示システムの構成を示す図である。
【００１２】
この情報表示システム１は、アナログ電子時計４０と、スマートフォン１０とにより構成される。これらのアナログ電子時計４０及びスマートフォン１０は、Bluetooth（登録商標）といった近距離無線通信手段を用いて情報の送受信が可能に構成されている。
【００１３】
図２は、アナログ電子時計４０の正面図である。
【００１４】
このアナログ電子時計４０は、ケーシング２と、ベゼル３と、文字盤４と、ベゼル３の内周に設けられて文字盤４の上部を覆う図示略の風防ガラスとで覆われた内部に時針４６１と、分針４６２と、秒針４７とを備える。また、ケーシング２の側面には、４つの押しボタンスイッチＢ１〜Ｂ４が設けられている。
【００１５】
時針４６１と分針４６２（回転指針）は、文字盤４の中央を共通の回転軸として回転する。一方、秒針４７は、文字盤４の中央から６時方向に離れた位置に設けられた回転軸に対して回転する。また、６時方向の周縁部には、ＬＥＤ５９（発光体、発光部）が設けられ、文字盤４の中心方向（１２時方向）に向けて光を出射するように配置されている。文字盤４の４時の方向には標識「ＴＥＬ」が設けられ、また、文字盤４の８時方向には標識「ＭＡＩＬ」が設けられている。
【００１６】
図３は、秒針４７の構造を示す図である。
本実施形態の秒針４７は、指針部４７１（指針）と、この指針部４７１に対して垂直に配置されたミラー部４７２（回転反射板）とにより構成されている。ミラー部４７２は板状であり、両側面が鏡面となっている。ミラー部４７２の長さは、ミラー部４７２が回転可能な範囲で長く設定され、ミラー部４７２の厚さは、アナログ電子時計４０を上部から見たときに目立たないように薄く設定される。また、ミラー部４７２の上面を文字盤４と同色とすることにより、更に通常時の視認性を低下させることが出来る。
【００１７】
図４は、アナログ電子時計４０の内部構成を示すブロック図である。また、図５は、スマートフォン１０の内部構成を示すブロック図である。
【００１８】
図４に示すように、アナログ電子時計４０は、ＣＰＵ（Central Processing Unit）４１（反射板回転制御部、指針回転制御部）と、ＲＯＭ（Read Only Memory）４２と、ＲＡＭ（Random Access Memory）４３と、操作部４４と、計時回路４５（計時手段）と、輪列機構４８を介して時針４６１及び分針４６２を連動して回転させるステップモータ５１と、輪列機構５０を介して秒針４７を回転させるステップモータ５３と、ステップモータ５１、５３をステップ駆動するステップモータ駆動回路５４と、アンテナＡＮ４と、無線通信手段としてのBluetoothモジュール５５及びＵＡＲＴ（Universal Asynchronous Receiver Transmitter）５６と、振動モータ５７及びそのドライバ５８と、ＬＥＤ（発光ダイオード）５９及びそのドライバ６０と、ピエゾ素子６１及びそのドライバ６２と、ＣＰＵ４１と各部との間で信号のやり取りをするバス６３などを備えている。
【００１９】
ＣＰＵ４１は、アナログ電子時計４０の全体動作の統轄制御及び各種演算処理を行う。ＣＰＵ４１は、計時回路４５の計数する現在時刻に基づいてステップモータ駆動回路５４にステップモータ５１、５３を駆動させ、時針４６１及び分針４６２により時刻表示を行わせる。また、ＣＰＵ４１は、Bluetoothモジュール５５を介してスマートフォン１０から取得された情報に基づいて表示内容を決定し、この表示内容に従ってステップモータ駆動回路５４にステップモータ５３を駆動させ、後述するように秒針４７を回転させることで情報を表示させる。
【００２０】
ＲＯＭ４２は、ＣＰＵ４１が実行する種々のプログラムや初期設定データを格納する。ＲＯＭ４２には、スマートフォン１０とBluetooth通信を行うための通信プログラムが含まれる。ＲＡＭ４３は、ＣＰＵ４１に作業用のメモリ空間を提供し、一時データを記憶する。
【００２１】
操作部４４は、４つのボタンスイッチＢ１〜Ｂ４を備え、ユーザが当該スイッチに対して行った操作を電気信号に変換して、入力信号としてＣＰＵ４１に出力する。或いは、この操作部４４は、タッチパネルであっても良い。
【００２２】
計時回路４５は、現在時刻を計数して保持するカウンタである。この現在時刻が読み出されて、時針４６１及び分針４６２によって表示されたり、当該現在時刻データと各種機能に係る設定時刻データとが比較されて種々の動作が行われたりする。
【００２３】
Bluetoothモジュール５５は、アンテナＡＮ４を介して外部機器との間でBluetooth通信を行うための制御モジュールである。ＣＰＵ４１から送られた送信データは、ＵＡＲＴ５６でシリアル／パラレル変換などの処理が行われて、Bluetoothモジュール５５からスマートフォン１０などの外部機器に送信される。また、外部機器からBluetoothモジュール５５を用いて受信された受信データは、ＵＡＲＴ５６でシリアル／パラレル変換などの処理が行われて、ＣＰＵ４１へ出力される。
【００２４】
振動モータ５７、ＬＥＤ（発光ダイオード）５９、及び、ピエゾ素子（ＰＺＴ）６１は、それぞれ振動、光、及び、ブザー音を発することでユーザに通知を行うためのものである。ＣＰＵ４１からドライバ５８、６０、６２にそれぞれ制御信号が送られると、ドライバ５８、６０、６２は、それぞれ、振動モータ５７、ＬＥＤ５９、ピエゾ素子６１を動作させるのに必要な電圧信号に変換して出力する。
【００２５】
ステップモータ駆動回路５４は、ＣＰＵ４１からステップモータ５１、５３の駆動命令を受け取ってステップモータ５１、５３を各々独立に駆動する駆動パルスを出力する。ステップモータ５１、５３は、各々ステップモータ駆動回路５４から入力された駆動パルスによりステップ駆動されて、駆動パルスの電圧波形に基づいて正転方向又は逆転方向に所定角度（例えば、１８０度）回転する。輪列機構４８、５０は、それぞれ複数の歯車列により構成され、輪列機構４８は、ステップモータ５１の回転角度を歯車比で調整して所定角度（例えば、１度）の回転を分針４６２に与える。時針４６１は、更に、分針４６２に連動して回転する。また、輪列機構５０は、ステップモータ５３の回転角度を歯車比で調整して所定角度（例えば、６度）の回転を秒針４７に与える。ステップモータ駆動回路５４は、分針４６２及び秒針４７を独立に所定の早送り速度（例えば、６４ｐｐｓ（Pulse per second））で正転又は逆転移動させることが可能である。
【００２６】
一方、スマートフォン１０は、図５に示すように、ＣＰＵ１１と、ＲＯＭ１２と、ＲＡＭ１３と、記憶部１４と、操作部１５と、内蔵時計１６と、表示部１７及びそのドライバ１８と、スピーカ１９と、マイク２０と、コーデック２１と、ＲＦ送受信回路２２と、ＲＦ送受信用のアンテナＡＮ１１と、通信回路２３と、Bluetoothモジュール２４と、ＵＡＲＴ２５と、Bluetooth通信の送受信用アンテナＡＮ１２と、ＣＰＵ１１と各部とを接続するバス２６などを備えている。
【００２７】
ＣＰＵ１１は、スマートフォン１０の全体動作の統轄制御及び各種演算処理を行う。また、ＣＰＵ１１は、操作部１５への入力操作による設定情報に基づいてBluetoothモジュール２４に制御信号を送ってアナログ電子時計４０との通信接続を確立する。そして、ＣＰＵ１１は、スマートフォン１０に電話の着信や電子メールの着信があると、アナログ電子時計４０に対して着信情報を送信させる。
【００２８】
ＲＯＭ１２は、ＣＰＵ１１が実行する種々のプログラムや初期設定データを格納する。また、ＲＡＭ１３は、ＣＰＵ１１に作業用のメモリ空間を提供し、作業用の一時データを記憶する。
【００２９】
記憶部１４は、不揮発性の読み書き可能なメモリであり、例えば、フラッシュメモリやＥＥＰＲＯＭ（Electrically Erasable and Programmable Read Only Memory）である。この記憶部１４には、例えば、登録された電話番号を記憶する電話帳データ、登録された電子メールアドレスを記憶するアドレス帳データ、スマートフォン１０で実行する種々のアプリケーションプログラムや各種機能に係る保存データや設定データが記憶される。
【００３０】
操作部１５は、タッチパネルの操作入力を検知し、表示部１７に表示されたメニューに基づいてユーザにより接触入力された操作内容を電気信号に変換し、入力信号としてＣＰＵ１１に出力する。或いは、この操作部１５は、複数の操作キーを備え、ユーザが当該キーに対して行った操作に基づいて電気信号に変換した入力信号をＣＰＵ１１に出力する構成を含むこととしても良い。
【００３１】
内蔵時計１６は、現在時刻を計数して保持するカウンタである。この現在時刻が読み出されて、表示部１７に表示される。また、当該現在時刻データと各種機能に係る設定時刻データとが比較されて種々の動作が行われる。この内蔵時計１６の現在時刻データは、ＲＦ送受信回路２２による携帯基地局との通信時に随時修正される。
【００３２】
表示部１７は、例えば、ＬＣＤ（液晶ディスプレイ）である。ＣＰＵ１１から送られた制御信号によりドライバ１８（液晶ドライバ）が動作し、ＬＣＤを駆動してスマートフォン１０の各種機能に係る表示を行わせる。この表示部１７は、他の方式によるもの、例えば、有機ＥＬＤ（Electro-Luminescent Display）であっても良く、ドライバ１８は、表示方式により適宜選択される。また、この表示部１７は、タッチパネルとしてユーザに入力操作を行わせるためのメニュー表示を行う。
【００３３】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカと音声を外部に出力するためのスピーカを別個に備えることとしてもよい。
【００３４】
ＲＦ送受信回路２２は、ＲＦ送受信用アンテナＡＮ１１を用いて携帯基地局との間で行われる電話通信やメールなどのパケット通信の送受信処理を行う。また、通信回路２３は、ＲＦ送受信回路２２により送受信される送受信データの各種処理を行い、ＣＰＵ１１やコーデック２１との間でデータの受け渡しを行う。
【００３５】
Bluetoothモジュール２４は、アンテナＡＮ１２を介してアナログ電子時計４０などの他の電子機器とBluetooth通信を行うための制御モジュールである。ＣＰＵ１１から送られた送信データは、ＵＡＲＴ２５でシリアル／パラレル変換などの処理が行われて、Bluetoothモジュール２４から他の電子機器に送信される。また、他の電子機器からBluetoothモジュール２４を用いて受信された受信データは、ＵＡＲＴ２５でパラレル／シリアル変換などの処理が行われて、ＣＰＵ１１へ出力される。
【００３６】
次に、第１実施形態のアナログ電子時計４０において実行されるスマートフォン１０への電話及びメールの着信報知動作について説明する。
【００３７】
図６は、着信報知状態におけるアナログ電子時計４０の正面図である。
【００３８】
本実施形態のアナログ電子時計４０では、図６（ａ）に示すように、電話着信通知がスマートフォン１０から取得されると、ＬＥＤ５９が点灯されると共に秒針４７を２２秒又は５２秒の位置に早送り移動させ、破線で示すように、ミラー部４７２によってＬＥＤ５９からの出射光を文字盤４の４時位置方向に反射させて、標識「ＴＥＬ」及びその周囲を選択的に照射させる。一方、ミラー部４７２の裏側では、ＬＥＤ５９からの光が遮られて届く光量が抑えられる。また、図６（ｂ）に示すように、メール着信通知がスマートフォン１０から取得されると、ＬＥＤ５９が点灯されると共に秒針４７を８秒又は３８秒の位置に早送り移動させ、破線で示すように、ミラー部４７２によってＬＥＤ５９からの出射光を文字盤４の８時位置方向に反射させて、標識「ＭＡＩＬ」及びその周囲を選択的に照射させる。ミラー部４７２は両面反射可能であるので、移動開始時の指針位置からより短時間で到達可能な指針位置に秒針４７を移動させれば良い。
【００３９】
図７は、アナログ電子時計４０において着信を報知する報知処理のＣＰＵ４１による制御手順を示すフローチャートである。
【００４０】
この報知処理は、スマートフォン１０からのBluetooth通信によるデータ受信待ち受け状態において、データが受信されるごとに行われる受信処理の一部として呼び出されて実行される。
【００４１】
先ず、ＣＰＵ４１は、スマートフォン１０からのデータ受信があったか否かを判別する（ステップＳ４０１）。そして、データ受信があったと判別されるまで、この処理を繰り返す。データ受信があったと判別されると、ＣＰＵ４１は、次に、受信したデータが電話着信を示す信号であるか否かを判別する（ステップＳ４０２）。電話着信信号であると判別された場合には、ＣＰＵ４１は、次に、現在の秒針位置が７秒から３７秒の間であるか否かを判別する（ステップＳ４０３）。秒針４７の位置が７秒から３７秒の間であると判別された場合には、ＣＰＵ４１は、ステップモータ駆動回路５４に制御信号を出力し、秒針４７を早送り移動させて２２秒の位置に移動させる（ステップＳ４０４）。一方、秒針４７の位置が７秒から３７秒の間ではない、即ち、３８秒から５９秒まで、０秒から６秒の間の何れかであると判別された場合には、ＣＰＵ４１は、ステップモータ駆動回路５４に制御信号を出力し、秒針４７を早送り移動させて５２秒の位置に移動させる（ステップＳ４０５）。これらのステップＳ４０４、Ｓ４０５の処理により、ミラー部４７２は、７秒位置と３７秒位置を結ぶ方向に向くことになる。そして、ＣＰＵ４１の処理は、ステップＳ４０６へ移行する。
【００４２】
ステップＳ４０２の判別処理において受信データが電話着信信号ではないと判別された場合には、次に、ＣＰＵ４１は、受信データがメール着信信号であるか否かを判別する（ステップＳ４１２）。メール着信信号であると判別された場合には、ＣＰＵ４１は、次に、現在の秒針位置が５３秒から５９秒まで、又は、０秒から２３秒までの間にあるか否かを判別する（ステップＳ４１３）。秒針４７の位置が５３秒から２３秒の間であると判別された場合には、ＣＰＵ４１は、ステップモータ駆動回路５４に制御信号を出力し、秒針４７を早送り移動させて８秒の位置に移動させる（ステップＳ４１４）。一方、秒針４７の位置が５３秒から２３秒の間ではない、即ち、２４秒から５２秒の間であると判別された場合には、ＣＰＵ４１は、ステップモータ駆動回路５４に制御信号を出力し、秒針４７を早送り移動させて３８秒の位置に移動させる（ステップＳ４１５）。これらのステップＳ４１４、Ｓ４１５の処理により、ミラー部４７２は、２３秒位置と５３秒位置とを結ぶ方向に向くことになる。そして、ＣＰＵ４１の処理は、ステップＳ４０６へ移行する。
【００４３】
ステップＳ４０４、Ｓ４０５、Ｓ４１４、Ｓ４１５の処理で秒針４７が回転されてミラー部４７２が何れかの位置に向くと、ＣＰＵ４１は、ドライバ６０に出力信号を出力してＬＥＤ５９を点灯させる（ステップＳ４０６）。このとき、ＣＰＵ４１は、併せて、ドライバ５８、６２に出力信号を送って、振動モータ５７やピエゾ素子６１に報知動作を行わせても良い。そして、ＣＰＵ４１は、報知処理を終了する。
【００４４】
ステップＳ４１２の処理で受信データがメール着信処理ではないと判別された場合には、その他の受信データに対応する処理を実行して（ステップＳ４２２）処理を終了する。
【００４５】
このように、第１実施形態のアナログ電子時計４０によれば、時針４６１及び分針４６２とは別個にＬＥＤ５９からの光の出射方向に秒針４７が設けられ、この秒針４７には、ミラー部４７２が設けられている。また、文字盤４には、４時方向に標識「ＴＥＬ」が設けられ、８時方向に標識「ＭＡＩＬ」が設けられて、Bluetoothモジュール５５を介してスマートフォン１０から受信された電話着信通知及びメール着信通知に応じて着信報知を行う構成となっている。そして、この着信報知では、着信の種別によりＬＥＤ５９の出射光が何れかの標識を照射するように秒針４７を回転させ、ミラー部４７２によって反射させる。従って、暗いところでも何れの着信報知動作が行われているのかを容易にユーザが知得することが出来る。
【００４６】
また、ミラー部４７２を回転させることで、小型の表示装置であってもＬＥＤ５９自体を回転させるよりも遥かに容易に照明を用いた表示動作を行うことが出来る。
【００４７】
また、通常では点灯されないＬＥＤ５９を用いて情報表示を行うことで、ユーザによる見落としの発生を防ぎやすい一方、秒針４７の回転動作自体は目立たなくなるので、アナログ電子時計では避けられない表示切替中の指針動作による煩わしさを低減することができる。
【００４８】
また、文字盤４上に設けられた標識を選択的に照射するので、ユーザは、必要な情報のみを選択的に認識することが出来る。
【００４９】
また、秒針４７は、指針部４７１とミラー部４７２とを備えており、明るいところや通常の使用状態では、指針部４７１により指針表示を行わせることが出来るので、周囲の状況などにより選択的に見やすい表示を行わせることが出来る。
【００５０】
また、ミラー部４７２を備えた秒針４７と共に、通常の指針（時針４６１及び分針４６２）を備え、指針動作による表示と併用してＬＥＤ５９の出射光により表示を行うことができるので、独立に複数の情報を表示させる場合でも、指針及び出射光がそれぞれ何の情報を表示しているのかを識別しやすくなる。
【００５１】
また、Bluetooth通信によりスマートフォン１０などの外部機器から取得された着信通知情報などに基づく報知処理を行うので、外部機器を鞄等に入れていて着信通知に気づかないような場合でも、ユーザは、腕時計などのアナログ電子時計４０から情報を統一的且つ容易に取得することが出来る。
【００５２】
［第２実施形態］
次に、第２実施形態のアナログ電子時計について説明する。
図８は、第２実施形態のアナログ電子時計４０ａの正面図である。
【００５３】
このアナログ電子時計４０ａは、第１実施形態のアナログ電子時計４０と比較して、文字盤４ａに標識「ＴＥＬ」及び標識「ＭＡＩＬ」が設けられていないことを除いて同一であるので、同一の構成については同一の符号を付して説明を省略する。
【００５４】
次に、この第２実施形態のアナログ電子時計４０ａにおける秒針４７の動作について説明する。
【００５５】
本実施形態のアナログ電子時計４０ａでは、ユーザによりＬＥＤ５９の点灯が命令されると、ＬＥＤ５９を点灯させるだけではなく、ＬＥＤ５９からの出射光を当該時刻の方向に反射させるように秒針４７を回転させる時刻照明処理が行われる。即ち、図８に示すように、このアナログ電子時計４０ａは、例えば、午前３時にＬＥＤ５９の点灯が命令されると、秒針４７が回転されて、破線で示すように、ＬＥＤ５９からの出射光がミラー部４７２で反射されて３時位置を照射するように動作する。
【００５６】
図９は、第２実施形態のアナログ電子時計４０ａにおいて実行される時刻照明処理のＣＰＵ４１による制御手順を示すフローチャートである。
【００５７】
この時刻照明処理は、ユーザにより押しボタンスイッチ（例えば、Ｂ１）が押下され、ＣＰＵ４１によりＬＥＤ５９の点灯命令が検出された際に呼び出されて実行される。時刻照明処理が開始されると、ＣＰＵ４１は、先ず、現在時刻を取得し、現在時刻の時間単位の値を判別する（ステップＳ５０１）。そしてステップＳ５０２ａ〜Ｓ５０２ｌの各処理において、ＣＰＵ４１は、ステップモータ駆動回路５４に制御信号を出力し、当該判別された時刻に当たる方向にＬＥＤ５９からの出射光が反射されるように秒針４７を回転させる。例えば、現在時刻が６時台又は１８時台である場合には、秒針４７を０秒の位置か、又は、３０秒の位置の何れかに早送り移動させる。これにより、ＬＥＤ５９の出射光は、ＬＥＤ５９の方向に反射されて６時位置を照射する。その他の時刻を照射する場合の秒針位置は、文字盤４ａにおける秒針４７の軸の位置によって決定される値であり、例えば、時刻と対応する秒位置を対応付けてテーブルデータとしてＲＯＭ４２に記憶させておくことで、容易に秒針４７の移動先を設定することができる。
【００５８】
秒針４７が設定された位置に早送りされると、ＣＰＵ４１は、ドライバ６０に出力信号を送ってＬＥＤ５９を点灯させる（ステップＳ５０３）。それから、ＣＰＵ４１は、ＬＥＤ５９の点灯時間をカウントする。ＣＰＵ４１は、ＬＥＤ５９の点灯時間が所定時間経過したか否かを判別する（ステップＳ５０４）。点灯時間が所定時間を経過したと判別されるまで、ＣＰＵ４１は、この判別処理を繰り返し、所定時間が経過したと判別された場合には、ＣＰＵ４１は、ドライバ６０に制御信号を送ってＬＥＤ５９を消灯させる（ステップＳ５０５）。それから、ＣＰＵ４１は、ステップモータ駆動回路５４に制御信号を送り、秒針４７を早送り移動させて秒針４７が現在時刻を表示する位置まで移動させる（ステップＳ５０６）。そして、秒針４７が通常の時刻表示状態に戻ると、ＣＰＵ４１は、時刻照明処理を終了する。
【００５９】
以上のように、第２実施形態のアナログ電子時計４０ａによれば、夜間など、周囲が暗い状況でユーザの操作に基づきＬＥＤ５９を点灯させると、ＬＥＤ５９からの出射光はミラー部４７２により反射されて現在時刻の方向を例えば１時間単位で照射することが可能となっているので、ユーザは容易に大まかな現在時刻を知得することが出来る。
【００６０】
［変形例］
図１０は、秒針の変形例を示す図である。
この秒針４７ａは、指針部４７１ａがミラー部４７２の長さ方向と平行になるように配置されている。このように配置されると、上記第１実施形態及び第２実施形態におけるＬＥＤ出射光の反射方向と秒針位置との関係が９０度ずれるので、秒針４７の移動制御が若干異なることになる。
【００６１】
この変形例の秒針４７ａを用いることで、ＬＥＤ５９の点灯時には、常に指針部４７１ａの半分が影側、即ち、ＬＥＤ５９の出射光に対し、ミラー部４７２の裏側となるので、指針部４７１ａではなく、反射光により情報が示されていることをユーザがより容易に識別することが出来る。
【００６２】
［第３実施形態］
次に、第３実施形態のアナログ電子時計について説明する。
図１１は、第３実施形態のアナログ電子時計４０ｂの正面図である。
【００６３】
この第３実施形態のアナログ電子時計４０ｂでは、第２実施形態の文字盤４ａと等しい文字盤が備えられている。また、このアナログ電子時計４０ｂには、時針４６１及び分針４６２と同一の回転軸の周りを回動する秒針４６３が設けられている。また、ミラー４７ｂは、指針部を備えず、ミラー部４７２の回動にのみ用いられる。その他の構成については、第２実施形態のアナログ電子時計４０ａと同一であり、同一の符号を付して説明を省略する。
【００６４】
図１２は、第３実施形態のアナログ電子時計４０ｂの内部構成を示すブロック図である。この第３実施形態のアナログ電子時計４０ｂは、ステップモータ５２の駆動により輪列機構４９が回転して秒針４６３を回転動作させるとともに、ステップモータ５３の駆動により輪列機構５０が回転してミラー４７ｂを回転動作させる。また、ＲＡＭ４３ｂには、登録番号テーブル４３１が記憶されている。この登録番号テーブル４３１は、Bluetooth通信において着信通知と共にスマートフォン１０から通知される着信番号に対して予め設定された番号との対応を示すテーブルである。例えば、この設定番号として１〜１１の各整数値が割り当てられ、秒針４６３が１時〜１１時の正時方向を指し示すことで何れの番号からの着信通知であるか示すことが可能となる。
その他の構成については、第１実施形態のアナログ電子時計４０と同一であり、同一の符号を付して説明を省略する。
【００６５】
図１３は、第３実施形態のアナログ電子時計４０ｂにおいてスマートフォン１０への着信を報知する報知処理のＣＰＵ４１による制御手順を示すフローチャートである。
【００６６】
この報知処理は、第１実施形態の報知処理と同様に、スマートフォン１０からのBluetooth通信による受信データの待ち受け時に受信データ処理の一部として行われる処理である。
【００６７】
先ず、ＣＰＵ４１は、スマートフォン１０からのデータ受信があったか否かを判別し（ステップＳ６０１）、データ受信があったと判別されるまでこの判別処理を繰り返す。データ受信があったと判別された場合には、ＣＰＵ４１は、受信データが電話着信信号であるか否かを判別する（ステップＳ６０２）。電話着信信号であると判別された場合には、ＣＰＵ４１は、登録番号テーブル４３１を参照し、着信番号に対応する秒針４６３の指示位置、及び、ＬＥＤ５９の出射光による照射位置を決定する（ステップＳ６０３）。
【００６８】
それから、ＣＰＵ４１は、ステップモータ駆動回路５４に制御信号を出力して秒針４６３及びミラー４７ｂを各々早送り駆動させ、決定された位置に移動させる（ステップＳ６０４）。それから、ＣＰＵ４１は、ドライバ６０に出力信号を送ってＬＥＤ５９を点灯させる（ステップＳ６０５）。そして、ＣＰＵ４１は、報知処理を終了する。
着信データが電話着信信号ではなかったと判別された場合には、ＣＰＵ４１は、受信データに係る他の受信処理を実行し（ステップＳ６１３）、処理を終了する。
【００６９】
なお、上記の説明では、秒針４６３の早送りが終了してからＬＥＤ５９を点灯させることとしたが、ミラー４７ｂが先に決定された位置に到達した場合には、秒針４６３の設定位置への到着を待たずに、先にＬＥＤ５９を点灯させてしまっても良い。
【００７０】
以上のように、第３実施形態のアナログ電子時計４０ｂは、文字盤４ａの中心に回転軸を有する秒針４６３の指示位置によって予め設定された情報を報知可能とすると共に、ミラー４７ｂを回転させてＬＥＤ５９の出射光を反射させ、この秒針４６３に照射させることで、指針による表示と光による表示を併用することができ、従って、暗いところでも明るいところでも情報を容易に読み取ることが出来る。特に暗い所で秒針４６３の指示方向を照射することで、秒針４６３の指示位置をユーザが容易に知得することが出来る。また、ＬＥＤ５９の出射光を極度に集光せずに秒針４６３の指示方向付近を全体として照射するだけでも読み取りが容易になるので、容易に表示装置を製造することが出来る。
【００７１】
なお、本発明は、上記実施の形態に限られるものではなく、様々な変更が可能である。
例えば、上記実施の形態では、アナログ電子時計４０の時針４６１及び分針４６２に加えてミラー部４７２を備えた秒針４７を備えることとしたが、通常の指針とセットで用いる必要はない。ＬＥＤ５９の出射光をミラー４７ｂで反射させて文字盤４上に設けられた標識を指示する構成のみを有する表示装置であっても良い。また、時計以外の指針と組み合わせて用いることも可能である。例えば、温度計、気圧計、加速度センサ、速度センサといった各種計測値を指針で表示する装置に本発明の発光部及び回転反射板を用いた表示を適用することとしても良い。
【００７２】
また、上記実施の形態では、ミラー部４７２を備えた秒針４７を時針４６１及び分針４６２と異なる回転軸の周りを回転するものとしたが、同一軸の周りを回転するものであっても良い。
【００７３】
また、上記実施の形態では、発光体としてＬＥＤ５９を例に挙げて説明したが、他の発光体であっても良い。例えば、豆電球や有機ＥＬ（Electro-Luminescent）ダイオードでもよく、また、電力供給量に応じてより集光度の高い例えばレーザ光を用いることとしても良い。
【００７４】
また、上記実施の形態では、反射板回転制御部の両側面がミラー状としたが、片面のみがミラー状であっても良い。また、ミラーによる反射方向は、文字盤４上の一平面内である必要はない。外部からの光の反射を抑える一方、文字盤４をより効率よく照らすために僅かに文字盤方向に傾けて光を反射させても良い。また、ミラーは平面である必要は無く、例えば、凹面鏡として集光度を高めても良い。
【００７５】
また、ＬＥＤ５９の配置及び出射光の向きは、文字盤４の６時側から中心方向への向きに限られない。他の時刻方向に配置しても良い。また、例えば、文字盤４の標識“ＴＥＬ”方向に光が直接出射され、メール着信の場合にのみミラー部４７２によって反射させるように構成しても良い。また、例えば、光が文字盤４に設けられた孔部から上向きに出射され、文字盤４に対して４５度程度傾いて配置されたミラー部４７２によって９０度反射させて表示内容に対応する方向を指示させることとしても良い。
【００７６】
また、上記実施の形態では、表示期間中ＬＥＤ５９の点灯状態を維持したが、点滅パターンなどにより更に複数の意味を持たせることも出来る。
【００７７】
また、上記実施の形態では、アナログ電子時計４０がBluetooth通信によりスマートフォン１０から着信通知を受信して着信報知を行ったが、報知内容や外部機器からの通知受信方法は、これらの例に限られない。他の近距離無線通信、例えば、赤外線通信やＵＷＢ（Ultra Wide Band）などでも良いし、中長距離無線電波を受信して所定の報知動作を行っても良い。反対に、アナログ電子時計４０内の機能に係る種々の報知動作に用いられても良い。また、報知内容としては、アラーム動作やバッテリ状態の報知動作など、任意に設定可能である。
その他、上記実施の形態の説明で示した具体的な構成や順序、数値などの細部は、本発明の趣旨を逸脱しない範囲において適宜変更可能である。
【００７８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７９】
［付記］
＜請求項１＞
発光体の発する光を所定の方向に出射する発光部と、
この発光部の光が出射される側に対向配置された回転反射板と、
表示させる情報に応じて前記回転反射板を回動させ、前記発光部からの出射光を前記表示させる情報に対応する方向に反射させる反射板回転制御部と
を備えることを特徴とする表示装置。
＜請求項２＞
前記回転反射板には、指針が一体的に設けられ、
前記反射板回転制御部は、前記発光体の発光時には、前記回転反射板による反射光により前記表示させる情報に対応する方向を指示させ、前記発光体の非発光時には、前記指針により前記表示させる情報に対応する方向を指示させる
ことを特徴とする請求項１記載の表示装置。
＜請求項３＞
前記回転反射板は、文字盤の上部で回動可能に設けられ、
この文字盤には、一又は複数の前記情報に対応する標識が各々印され、
前記反射板回転制御部は、前記発光部からの出射光を前記回転反射板により反射させて、前記文字盤上に配列された前記標識のうち前記表示させる情報に対応するものを指示させる
ことを特徴とする請求項１又は２記載の表示装置。
＜請求項４＞
外部機器との間で無線通信を行うための無線通信手段を備え、
前記反射板回転制御部は、前記無線通信手段により前記外部機器から取得されたデータに基づいて定められた前記表示させる情報に応じて前記回転反射板を回動させる
ことを特徴とする請求項１〜３の何れか一項に記載の表示装置。
＜請求項５＞
請求項１〜４の何れか一項に記載の表示装置と、
一又は複数の回転指針と、
この回転指針の回転動作を制御する指針回転制御部と
を備え、
前記回転指針は、文字盤の上部を前記回転反射板と同時に回動可能に設けられ、
前記指針回転制御部は、前記反射板回転制御部とは独立に前記回転指針を回動させる
ことを特徴とする指針表示装置。
＜請求項６＞
前記指針回転制御部は、前記回転指針のうち少なくとも一本が前記表示させる情報に対応する方向を指示するように回動させることが可能であり、
前記反射板回転制御部は、前記回転反射板により反射された前記出射光が、前記表示させる情報に対応する方向を指示している前記回転指針を照射するように前記回転反射板を回動させる
ことを特徴とする請求項５記載の指針表示装置。
＜請求項７＞
時刻を計数する計時手段を備え、
前記複数の回転指針は、時刻を表示するための指針であり、
前記文字盤には、時刻を表示するための標識が印され、
前記反射板回転制御部は、前記発光部からの出射光を前記回転反射板により反射させて前記文字盤における各時刻方向を指示させることで、
この時刻に対応する数値を表示させる
ことを特徴とする請求項５又は６記載の指針表示装置。
【符号の説明】
【００８０】
１     情報表示システム
２     ケーシング
３     ベゼル
４     文字盤
４ａ   文字盤
１０   スマートフォン
１１   ＣＰＵ
１２   ＲＯＭ
１３   ＲＡＭ
１４   記憶部
１５   操作部
１６   内蔵時計
１７   表示部
１８   ドライバ
１９   スピーカ
２０   マイク
２１   コーデック
２２   送受信回路
２３   通信回路
２４   Bluetoothモジュール
２５   ＵＡＲＴ
２６   バス
４０   アナログ電子時計
４０ａ アナログ電子時計
４０ｂ アナログ電子時計
４１   ＣＰＵ
４２   ＲＯＭ
４３   ＲＡＭ
４３ｂ ＲＡＭ
４３１ 登録番号テーブル
４４   操作部
４５   計時回路
４６１ 時針
４６２ 分針
４６３ 秒針
４７   秒針
４７ａ 秒針
４７ｂ ミラー
４７１ 指針部
４７１ａ      指針部
４７２ ミラー部
４８   輪列機構
４９   輪列機構
５０   輪列機構
５１   ステップモータ
５２   ステップモータ
５３   ステップモータ
５４   ステップモータ駆動回路
５５   Bluetoothモジュール
５６   ＵＡＲＴ
５７   振動モータ
５８   ドライバ
５９   ＬＥＤ
６０   ドライバ
６１   ピエゾ素子
６２   ドライバ
６３   バス
ＡＮ１１      アンテナ
ＡＮ１２      アンテナ
ＡＮ４ アンテナ
Ｂ１-Ｂ４     ボタンスイッチ
【図１】
0005888054.tif 000002
【図２】
0005888054.tif 000003
【図３】
0005888054.tif 000004
【図４】
0005888054.tif 000005
【図５】
0005888054.tif 000006
【図６】
0005888054.tif 000007
【図７】
0005888054.tif 000008
【図８】
0005888054.tif 000009
【図９】
0005888054.tif 000010
【図１０】
0005888054.tif 000011
【図１１】
0005888054.tif 000012
【図１２】
0005888054.tif 000013
【図１３】
0005888054.tif 000014